(57)【要約】      （修正有）【課題】使用頻度によってボルト頭部のレンチ挿入用の穴、及び六角棒レンチの六角の頂点を崩すことなく、レンチの締め付ける力、緩める力を六角穴付きボルト、六角穴付き止めねじに伝達することが出来る締結部品を提供する。【解決手段】ボルトの頭部１ａにレンチ挿入用円形ガイド穴４を設けることで、レンチをボルト頭部１ａのレンチ挿入用円形ガイド穴４の中心に嵌挿でき、又、ボルトの頭部１ａに締め付け緩め用の溝５を刻設することで、締め付け緩め用の溝５とレンチの締め付け緩め用の嵌合部の接触面が平行に嵌合し、レンチがボルト１から離れることなく、レンチの締め付ける力、緩める力をボルト全体に伝達して、ボルト頭部の締め付け緩め用の溝５、及びレンチの締め付け緩め用の嵌合部を崩すことがなくなった。【選択図】図１
0003185628.tif 000002
【実用新案登録請求の範囲】
【請求項１】
ボルト頭部、若しくは、止めねじ頭部にレンチ挿入用円形ガイド穴を設け、レンチ挿入用円形ガイド穴の中心から前記頭部の周縁まで、締め付け緩め用の溝を放射状に３条以上刻設したことを特徴とする締結部品。
【請求項２】
請求項１に記載の締結部品のボルト頭部、若しくは、止めねじ頭部のレンチ挿入用円形ガイド穴と締め付け緩め用の溝に挿入するレンチ挿入用ガイド部と締め付け緩め用の嵌合部を設けたレンチからなることを特徴とする締結治具。
【考案の詳細な説明】
【技術分野】
【０００１】
本考案は、ボルト頭部や、止めねじ頭部にレンチ挿入用円形ガイド穴と締め付け緩め用の溝を設けたボルトや、止めねじの締結部品、並びにレンチ挿入用ガイド部と締め付け緩め用の嵌合部を設けたレンチの締結治具に関するものである。
【背景技術】
【０００２】
従来、ボルト等の締結部品、レンチ、ドライバー等の締結治具は二つの物を結合するのに使用されてきた。
【０００３】
最近では、ボルト、止めねじ、小ねじ等の締結部品も頭部形状、又、締め付けたり、緩めたりするための頭部の穴も六角穴、プラス（＋）穴、マイナス（−）穴、三角穴、四角穴等多種多様である。
【０００４】
これに対する締結治具も六角棒レンチ、プラスドライバー、マイナスドライバー、三角ねじドライバー、スクエアドライバー等多様化している。
【先行技術文献】
【特許文献】
【０００５】
【特許文献１】特開２００１−１５３１２０号公開特許公報
【特許文献２】特開２０００−２４９１２９号公開特許公報
【考案の概要】
【考案が解決しようとする課題】
【０００６】
従来、六角穴付きボルト、六角穴付き止ねじ、六角穴付きボタンボルト、六角穴付きショルダボルト、六角穴付き皿ボルト等を六角棒レンチで締め付けたり、緩めたりする時、使用頻度によって、ボルト及びねじ頭部の六角形の穴が崩れたり、六角棒レンチの六角の頂点が崩れ、締め付ける力、緩める力がボルト及びねじ等へ伝達されない不具合があった。
【０００７】
又、同様に小ねじ等においても、ドライバーを使用する時、ドライバーを押さえながら回さないと、ドライバーの刃先がねじの頭のドライバー挿入用の溝・穴から外へ逃げようとし（カムアウト現象）て、溝・穴をつぶし、締め付ける力、緩める力がねじに伝達されない不具合があった。
【０００８】
特許文献１は六角穴付きボルトを締め付ける時、緩める時に六角棒レンチの他にマイナスドライバーもしくはプラスドライバーも使用出来るようにしたものであるが、本発明のドライバー嵌合用の溝はマイナスドライバー用に設けられたもので、マイナスドライバーは、マイナスドライバーの軸とねじの中心部を調整しないとねじがスムーズに回らない欠点があり、又、マイナスドライバーは先端に向かって傾斜が付けられているため、ねじの上から押し付けるようにして使用しなければならないため、ねじ頭部の上が制限されている場所での使用は出来ない。対策として、マイナスドライバーの刃先部分を本考案のレンチのようにL形に曲げて使用する方法も考えられるが、ドライバー嵌合用の溝がマイナス（−）穴のため、１８０度最低回さないと締め付けたり、緩めたりすることが出来ない。このため、他の機器との兼ね合いで前記L形マイナスドライバーの回転範囲が制限される場所での使用は出来ない。又、この発明が意図としているドライバー嵌合用の溝は、マイナスドライバーが先端に向かって傾斜が付けられているため、ドライバー嵌合用の溝に収まりやすいが、抜けやすい特徴を持っており、ボルトに押し付ける力が不足した状態でマイナスドライバーを回そうとすると、マイナスドライバーの先端がドライバー嵌合用の溝から浮き上がろうとするカムアウト現象が起こり、本考案が意図とするものではなく、六角穴付きボルト、六角穴付き止めねじの六角穴の崩れ及び六角棒レンチの六角の頂点の崩れを無くすることには至らない。
特許文献２は六角穴付きボルトを締め付ける時、緩める時に六角棒レンチの他に既存のプラスドライバーの使用で、六角穴に十字溝を併合したものであるが、プラスドライバーを使用する時、プラスドライバーを押さえながら回さないと、ドライバーの刃先が六角穴付きボルトの頭の外へ逃げようとし（カムアウト現象）て、十字溝をつぶし、締め付ける力、緩める力が六角穴付きボルトに伝達されない不具合が考えられる。又、六角穴付きボルトの呼び径M１２で六角の二面幅が１０ｍｍとなり、JIS規格から既存のプラスドライバーの径（φ）は最大９ｍｍで嵌合出来ず、締め付ける力、緩める力を六角穴付きボルトに伝達出来ない不具合が生じる。この発明におけるプラスドライバー用の十字溝は本考案が意図とするものではなく、六角穴付きボルト、六角穴付き止めねじの六角穴の崩れ及び六角棒レンチの六角の頂点の崩れを無くすることには至らない。
【課題を解決するための手段】
【０００９】
ボルト頭部、若しくは、止めねじ頭部にレンチ挿入用円形ガイド穴を設け、レンチ挿入用円形ガイド穴の中心から前記頭部の周縁まで、締め付け緩め用の溝を放射状に３条以上刻設したことを特徴とする締結部品である。
【００１０】
更に、締結部品のボルト頭部、若しくは、止めねじ頭部のレンチ挿入用円形ガイド穴と締め付け緩め用の溝に挿入するレンチ挿入用ガイド部と締め付け緩め用の嵌合部を設けたレンチからなることを特徴とする締結治具である。
【考案の効果】
【００１１】
ボルトの頭部にレンチ挿入用円形ガイド穴と締め付け緩め用の溝を設けることで、レンチのレンチ挿入用ガイド部と締め付け緩め用の嵌合部の接触面が平行に嵌合し、レンチで締め付ける時、緩める時に、レンチの先端部がボルトのレンチ挿入用円形ガイド穴と締め付け緩め用の溝から離れようとする力は生じず、使用頻度によって、ボルト頭部の締め付け緩め用の溝が崩れたり、レンチの締め付け緩め用の嵌合部が崩れたりすることがなくなり、レンチの締め付ける力、緩める力をボルトへ確実に伝達することが出来るようになった。
【００１２】
又、ボルトのレンチ挿入用円形ガイド穴によって、レンチの締め付け緩め用の嵌合部がボルト頭部の周縁内に収まり、六角穴付きボルト、六角穴付き止めねじ等と同様に、ザグリ穴等での締め付け作業が出来るようになった。
【００１３】
ボルトの締め付け緩め用の溝が１条だとレンチを３６０度、２条だと１８０度最低回さないと、締め付けたり、緩めたりすることは出来ないが、３条以上刻設することで、１２０度以下で締め付けたり、緩めたりすることが出来るようになり、他の機器との兼ね合いでレンチを動かせる範囲が制限されている場所でも、締め付けたり、緩めたりすることが出来るようになった。
【００１４】
又、ボルトに締め付け緩め用の溝を３条以上設けることで、１条、２条に対して、レンチ挿入後の安定感が増し、ボルトのレンチ挿入用円形ガイド穴を中心にして、レンチの締め付ける力、緩める力がボルトの締め付け緩め用の溝にそれぞれ均一に分散伝達され、使用頻度に関係なく、ボルトを確実に、締め付けたり、緩めたりすることが出来るようになった。
【図面の簡単な説明】
【００１５】
【図１】本考案に係るボルトの一例を示す図で、（ａ）は斜視図、（ｂ）は平面図である。
【図２】本考案に係る止めねじの一例を示す図であり、（ａ）はその斜視図、（ｂ）は平面図である。
【図３】本考案に係るボルトの平面図で、（ａ）は円形のレンチ挿入用円形ガイド穴と締め付け緩め用の溝が４条の事例を、（ｂ）はレンチ挿入用方形ガイド穴と締め付け緩め用の溝が４条の事例を、（ｃ）は円形のレンチ挿入用円形ガイド穴と締め付け緩め用の溝が３条の事例を、（ｄ）は円形のレンチ挿入用円形ガイド穴と締め付け緩め用の溝が５条の事例を、（ｅ）は円形のレンチ挿入用円形ガイド穴と締め付け緩め用の溝が６条の事例を示している。
【図４】本考案のレンチを示す図であり、図４（ａ）は斜視図、図４（ｂ）は、図４（ａ）のＡ―Ａ線矢視の平面図である。
【図５】本考案に係るボルトにレンチを挿入した斜視図である。
【考案を実施するための形態】
【００１６】
本考案に係る実施形態を、図１から図５を参照して以下説明する。
【実施例】
【００１７】
図１に図示するボルト１は、ボルト頭部１ａにレンチ挿入用円形ガイド穴４と、締め付け緩め用の溝５を４条刻設した事例を示している。
【００１８】
又、レンチの挿入を容易にするため、レンチ挿入用円形ガイド穴４と、締め付け緩め用の溝５の先端部コーナーをR面加工、C面加工することも出来る。
【００１９】
図２に図示する止めねじ２は、前記ボルト１に替え、止めねじ２に応用した事例で、止めねじ頭部２aにレンチ挿入用円形ガイド穴４と締め付け緩め用の溝５を４条刻設した事例を示している。又、同様にして、図示省略の、例えば、小ねじ等にも応用展開することが出来る。
【００２０】
図３は本考案に係るレンチ挿入用円形ガイド穴４と、締め付け緩め用の溝５を示すボルト１の平面図である。本考案の応用で、レンチ挿入用円形ガイド穴の円形を方形にしたレンチ挿入用方形ガイド穴６と締め付け緩め用の溝５をそれぞれ、３条の溝５ａ、４条の溝５ｂ、５条の溝５ｃ、６条の溝５ｄに刻設した事例を示している。
【００２１】
又、図３に図示するごとく、本考案のボルト用に使用されるレンチ３の締結治具にも水平展開出来る。
【００２２】
図４に図示するレンチ３は、ボルト１の挿入用円形ガイド穴４と、締め付け緩め用の溝５に嵌合するように、レンチ挿入用ガイド部７と締め付け緩め用の嵌合部８を設けたもので、ボルト１に嵌挿して締め付けを行う。
【００２３】
又、図４に図示のレンチ３は、レンチ挿入用円形ガイド部と締め付け緩め用の嵌合部をそのままにして、（イ）六角棒レンチと同様にレンチ挿入用ガイド部７と締め付け緩め用の嵌合部８が加工された棒を切断して加工する。（ロ）持ちやすいように取っ手部分を加工する。（ハ）取っ手部分にローレット加工して滑り難くする。（ニ）ボルト１への挿入を容易にするため、レンチ挿入用ガイド部７と締め付け緩め用の嵌合部８の先端部コーナーをR面加工、又はC面加工する。（ホ）レンチ挿入用ガイド部７と締め付け緩め用の嵌合部８をビットとしてハンドルに嵌着して使用する等の応用展開が出来る。
【００２４】
図５に図示すように、ボルト１のレンチ挿入用円形ガイド穴４と締め付け緩め用の溝５に、レンチ３のレンチ挿入用ガイド部７と締め付け緩め用の嵌合部８を嵌挿して、レンチ挿入用円形ガイド穴４の中心を軸にしてレンチ３を回すことで、締め付ける力、緩める力をボルト１に確実に伝達出来るようになった。
【産業上の利用可能性】
【００２５】
本考案は、ボルトや止めねじのみならず、小ねじ等のカムアウト現象を回避するために応用展開出来る。又、本考案に係るボルト及びレンチは、従来のボルトの製造工程で広く使われているプレス、ヘッダー（頭部成形機）、冷間鍛造機に超硬合金等を使用したダイス、パンチ等の金型を使用して圧造成形することができ、製造工程を大幅に変更することなく量産することが可能である。
【符号の説明】
【００２６】
１    ボルト
１ a  ボルト頭部
２    止めねじ
２ a  止めねじ頭部
３    レンチ
４    レンチ挿入用円形ガイド穴
５    締め付け緩め用の溝
５ a  ３条の溝
５ｂ  ４条の溝
５ｃ  ５条の溝
５ｄ  ６条の溝
６    レンチ挿入用方形ガイド穴
７    レンチ挿入用ガイド部  
８    締め付け緩め用の嵌合部
【図１】
0003185628.tif 000003
【図２】
0003185628.tif 000004
【図３】
0003185628.tif 000005
【図４】
0003185628.tif 000006
【図５】
0003185628.tif 000007